(57)【要約】  小さくなるレンズ曲率の連続的な変化、前部(2)及び後部(3)の表面、前部及び後部の表面が前部(2)及び後部(3)の表面の上部の領域(21,31)である上部の部分であって、前部(2)及び後部(3)の表面のそれぞれの少なくとも半分をカバーし、レンズの上部の部分の有効なパワーが一定であるよう、２つの上部の領域(21,31)が互いに整列される上部の部分、近くの物体で見るために使われ、前部及び後部の表面が前部(2)及び後部(3)の表面の下部の領域（22及び23,32及び33）である下部の部分であって、前部及び後部の下部の領域がそれぞれ表面領域(22,32)を有し、それぞれの表面領域(22,32)の上部から底部へと増加する曲率が提供され、２つの前部及び後部の下部の領域(22及び23,32及び33)が、レンズの下部の部分の有効なパワーとレンズの上部の部分の有効なパワーの最大の差が0ジオプターから0.5ジオプターの間から成るよう、互いに整列される下部の部分を有する。
2010513985.tif 000002
【特許請求の範囲】
【請求項１】
・小さくなるレンズ曲率の連続的な変化と；
・前部（２）および後部（３）の表面と；
・前部および後部の表面が前部（２）および後部（３）の表面の上部の領域（２１，３１）である上部の部分であって、前部（２）および後部（３）の表面のそれぞれの少なくとも半分をカバーし、レンズの上部の部分の有効なパワーが一定であるように、２つの上部の領域（２１，３１）が互いに整列されるような上部の部分と；
・近くの物体を見るために使われ、前部および後部の表面が前部（２）および後部（３）の表面の下部の領域（２２および２３，３２および３３）である下部の部分であって、前部および後部の下部の領域がそれぞれ表面領域（２２，３２）を有し、それぞれの表面領域（２２，３２）の上部から底部へと増加する曲率が提供され、そして２つの前部および後部の下部の領域（２２および２３，３２および３３）が、レンズの下部の部分の有効なパワーとレンズの上部の部分の有効なパワーとの最大の差が０ジオプターから０．５ジオプターの間から成るように、互いに整列されるような、下部の部分と、
を有することを特徴とする改良された単一レンズ。
【請求項２】
レンズの下部の部分の有効なパワーとレンズの上部の部分の有効なパワーとの最大の差が０．３ジオプターに等しいかそれを下回ることを特徴とする請求項１に記載の改良された単一レンズ。
【請求項３】
前部（２）および後部（３）の表面が、全てのレンズの有効なパワーが一定であるように、互いに整列されることを特徴とする請求項１に記載の改良された単一レンズ。
【請求項４】
前部および後部の下部の領域が、それぞれ中間の領域（２２，３２）および底部の領域（２３，３３）を有し、前部（２２）および後部（３２）の両方の領域の曲率が、上部から底部へと増加する曲率勾配に従うことを特徴とする請求項１から３のいずれか１項に記載の改良された単一レンズ。
【請求項５】
表面曲率の勾配が３ジオプターを下回るかそれに等しいことを特徴とする請求項４に記載の改良された単一レンズ。
【請求項６】
底部の領域（２３，３３）は一定の焦点パワーの領域であることを特徴とする請求項３または４に記載の改良された単一レンズ。
【請求項７】
前部の表面（２）の上部の領域（２１）の高さｈ１、中間の領域（２２）の高さｈ２、底部の領域（２３）の高さｈ３が、それぞれ、後部の表面（３）の上部の領域（３１）の高さｈ１、中間の領域（３２）の高さｈ２、底部の領域（３３）の高さｈ３に等しいことを特徴とする請求項４から６のいずれか１項に記載の改良された単一レンズ。
【請求項８】
ｈ１が前記レンズの全体の高さｈの５０から７０％の間から成り、ｈ２がレンズの全体の高さｈの５から２０％の間から成り、ｈ３がレンズの全体の高さの２０から４０％の間から成ることを特徴とする請求項７に記載の改良された単一レンズ。
【請求項９】
前部（２）および後部（３）の表面は、それぞれ、上部の遠視領域、中間視領域、および底部の近視領域を有し、各表面が、結果としてのレンズパワーが公称の値に保たれるように、調整される累進的な表面であることを特徴とする請求項１から３のいずれか１項に記載の改良された単一レンズ。
【請求項１０】
前部（２）および後部（３）の累進的な表面は、それぞれ、目が遠い目標から近い目標に動くにつれて、急になっている曲率プロファイルが凝視方向における変化と一致するように、中央の子午線に沿って配置された急な曲率領域を有することを特徴とする請求項９に記載の改良された単一レンズ。
【請求項１１】
前記レンズは、球面またはトーリックまたは非球面であることを特徴とする請求項１から１０のいずれか１項に記載の改良された単一レンズ。
【請求項１２】
前記レンズは、負の有効なパワーを持った近視矯正のためのマイナスレンズであることを特徴とする請求項１から１１のいずれか１項に記載の改良された単一レンズ。
【請求項１３】
前記レンズは、０ジオプターの有効なパワーを持った平面レンズであることを特徴とする請求項１から１１のいずれか１項に記載の改良された単一レンズ。
【請求項１４】
前記レンズは、正の有効なパワーを持った遠視矯正のためのプラスレンズであることを特徴とする請求項１から１１のいずれか１項に記載の改良された単一レンズ。
【発明の詳細な説明】
【技術分野】
【０００１】
本発明は、改良された単一視力眼鏡レンズに関する。
【背景技術】
【０００２】
単一視力レンズは、患者が遠視であるか、または近視である時に処方され、そして全体にわたって（上部から底部まで）同じ焦点パワー（屈折力）を持つ。
【０００３】
マイオピア（myopia：近視）およびハイパーメトロピア（hypermetropia：遠視）のための視力矯正は、前部（外部または前部の表面）および後部（目の側の内部または後部の表面）の表面に適切な球面のカーブ（曲率）を持つ眼鏡レンズを使って達成することができる。トロイダル(toroidal)またはスフェロシリンドリカル(Spherocylindrical：球面円柱)表面を使う時には、乱視も矯正することができる。
【０００４】
非老眼である単一視力レンズの装用者は、要求される屈折異常の矯正を提供された時に近くの物体に焦点を持って来ることができる適切な順応を持っている。しかしながら、近くの物体の網膜の像は、特に暗いか、または制限された照明状態、例えばレストランでメニューを読む時、または屋内で針に糸を通す時において、適切な視覚快適さまたはコントラスト感度を提供するにはあまりにも大きさが小さい。合焦点された網膜の像の大きさは、通常、角倍率または近軸倍率のかたちで表現され、その倍率は、特定のレンズによって形成される網膜の像の大きさの、正視眼、つまり屈折矯正を必要としない目によって作られる像の大きさに対する比率と定義される。像倍率はまた、他のレンズ形状に対して１つのレンズ形状のために、例えば、２つのレンズを異なったベース曲率と比較するが、同じ球面の矯正を提供する、というように定義される。像倍率は、式１で示されるように、提供された球面（または球面と等価のもの）の矯正の大きさに依存する。
【０００５】
Ｍ＝１／［１−ｔ．Ｆ１／ｎ]*１／［１−ｄ．Ｆｖ］      式１
【０００６】
ここで、Ｍはレンズ倍率；
ｔはレンズ厚さ；
ｎはレンズ材料の屈折率；
Ｆ１はレンズの前部の表面の曲率；
ｄは後部の頂点からの距離、または主軸のレンズ上の交点から目の入射瞳までの距離；
Ｆｖは後部の頂点のパワー、または空気における、レンズの後部の表面から第二の焦点までの距離の逆数である。
【０００７】
式１は、像倍率が正のパワーに対してより高く、レンズの正のパワーによって増加することを示す。
【０００８】
式１は、以下のように書き直すことができる。
【０００９】
ＳＭ＝１／［１−（ｔ／ｎ）Ｄ１］*１／［１−ｄ．Ｄ］、      式２
【００１０】
ここで、ＳＭは、パワーＤのレンズを装用する時の網膜の像の大きさの、正視眼の像の大きさに対する比と定義される眼鏡倍率；
Ｄ１はベース曲率；
Ｄはジオプターで表したレンズのパワーである。
【００１１】
単一視力レンズの装用者、特に負のパワーの単一視力レンズを装用する近視者は、近くの物体に対する像倍率を強めることを要求しうる。従来技術の単一視力レンズでは、屈折矯正を変更せずに像倍率を変えることはできない。単一視力レンズの装用者は、像ぼけを避けるために特定のパワーの単一視力レンズを要求するので、ぼやけた視力を持たせることなく該装用者により高いレベルの像倍率を提供することができない。
【００１２】
通常、単一視力眼鏡レンズまたはコンタクトレンズのユーザーを含む、あらゆるタイプの視力矯正をした非老眼の装用者は、コントラスト感度および近くの物体を見る時の視覚快適さの低下を経験する。なぜなら、近くを視る仕事は、通常、より細かい解像度と、暗いか、または制限された照明環境、例えば夜の屋内で機能する能力と、を必要とするからである。
【先行技術文献】
【特許文献】
【００１３】
【特許文献１】米国特許第６，３１８，８５９号明細書
【特許文献２】国際出願ＰＣＴ／ＩＢ２００６／００３２２０号
【非特許文献】
【００１４】
【非特許文献１】P. Allione, F. Ahsbahs and G. Lessaux著，「コンピュータ支援の眼科用レンズ設計における最適化のアプリケーション("Applications of optimization in computer-aided ophthalmic lens design")」，SPIE Vo1.3737 - p.138-148 (1999年5月)
【発明の概要】
【発明が解決しようとする課題】
【００１５】
従って、本発明の目的は、ぼやけた視力を起こすことなく近くの物体に対して像倍率が提供されるような、改良された単一視力レンズを提供することである。
【課題を解決するための手段】
【００１６】
この目的は、本発明に従って、
・小さくなるレンズ曲率の連続的な変化と；
・前部および後部の表面と；
・前部および後部の表面が前部および後部の表面の上部の領域である上部の部分であって、前部および後部の表面のそれぞれの少なくとも半分をカバーし、レンズの上部の部分の有効なパワーが一定であるように、２つの上部の領域が互いに整列されるような上部の部分と；
・近くの物体を見るために使われ、前部および後部の表面が前部および後部の表面の下部の領域である下部の部分であって、前部および後部の下部の領域がそれぞれ表面領域を有し、それぞれの表面領域の上部から底部へと増加する曲率が提供され、そして２つの前部および後部の下部の領域が、レンズの下部の部分の有効なパワーとレンズの上部の部分の有効なパワーとの最大の差が０ジオプターから０．５ジオプターの間から成るように、互いに整列されるような、下部の部分と、
を有することを特徴とする改良された単一レンズによって解決される。
【００１７】
本発明によれば、「改良された単一レンズ」は、レンズの主要な部分の上に少なくとも同じ焦点パワーを持っている、実質的に単一視力レンズである。
【００１８】
本発明によれば、「レンズの主要な部分」は、レンズの表面の少なくとも７５％に対応する。
【００１９】
レンズ曲率の形状は、近くの物体を見る間における、自然な凝視の経路に従うよう設計することができる。
【００２０】
本発明の一実施形態によれば、レンズの下部の部分の有効なパワーとレンズの上部の部分の有効なパワーとの最大の差は、０．３ジオプターに等しいかそれを下回る。
【００２１】
本発明の一実施形態によれば、前部および後部の表面は、レンズ全体の有効なパワーが一定であるように、互いに整列される。
【００２２】
本発明の一実施形態によれば、前部および後部の下部の領域は、それぞれ中間の領域と底部の領域を有し、その状況で、前部および後部領域の両方の曲率が上部から底部へと曲率勾配が増加する；そして好ましい勾配は線形の勾配である。
【００２３】
前述の実施形態によれば、表面の曲率の勾配は３ジオプターを下回るかそれに等しい。
【００２４】
本発明の一実施形態によれば、底部の領域は一定の焦点パワーの領域である。
【００２５】
本発明の一実施形態によれば、前部の表面の上部の領域の高さｈ１、中間の領域の高さｈ２、底部の領域の高さｈ３が、それぞれ、後部の表面の上部の領域の高さｈ１、中間の領域の高さｈ２、底部の領域の高さｈ３に等しい。
【００２６】
前述の実施形態によれば、ｈ１が前記レンズの全体の高さｈの５０から７０％の間から成り、ｈ２がレンズの全体の高さｈの５から２０％の間から成り、ｈ３がレンズの全体の高さの２０から４０％の間から成る。
【００２７】
本発明の他の実施形態によれば、前部および後部の表面は、それぞれ、上部の遠視領域、中間視領域、および底部の近視領域を有し、各表面が、結果としてのレンズパワーが公称の値に保たれるように調整される、累進的な表面である。
【００２８】
前述の実施形態によれば、前部および後部の累進的な表面は、それぞれ、目が遠い目標から近い目標に動くにつれて、急になっている曲率プロファイルが凝視方向における変化と一致するように、中央の子午線に沿って配置された急な曲率領域を有する。
【００２９】
本発明の一実施形態によれば、前記レンズは、球面またはトーリックまたは非球面である。
【００３０】
本発明の一実施形態によれば、前記レンズは、負の有効なパワーを持った近視矯正のためのマイナスレンズ（負のレンズ）である。
【００３１】
本発明の他の実施形態によれば、前記レンズは、０ジオプターの有効なパワーを持った平面レンズである。
【００３２】
本発明の他の実施形態によれば、前記レンズは、正の有効なパワーを持った遠視矯正のためのプラスレンズ（正のレンズ）である。
【００３３】
本発明の枠組みにおいては、表面上でのジオプターパワー値のバリエーションが０．１ジオプターに等しいか、またはそれより小さい場合には、ジオプターパワー値が一定であると理解されるべきである。
【００３４】
本発明の枠組みでは、高さの差が１ｍｍに等しいかまたはそれより小さい場合には、その高さの値が他のものと等しいと理解されるべきである。
【００３５】
本発明は例によって示され、添付の図面によって限定されない。図面では、同様の参照符号は同様の要素を示す。
【図面の簡単な説明】
【００３６】
【図１ａ】本発明による改良された単一レンズ概略図である。
【図１ｂ】本発明による改良された単一レンズ概略図である。
【図１ｃ】本発明による改良された単一レンズ概略図である。
【発明を実施するための形態】
【００３７】
当業者は図面の要素が簡単さと明確さのために例示され、必ずしも寸法通りに描画されていない、ということを理解するであろう。例えば、図面の要素のいくつかの寸法は、本発明の実施形態を理解するのに役立つように、他の要素に対して誇張されうる。
【００３８】
本発明によれば、「上部」または「上」、「底部」または「下」という用語は、水平方向の凝視によってレンズを装用する時のレンズにおける位置を指し、従って領域の高さを指すことは、レンズが同様に装用される時の前記領域の垂直な２点間の最大の距離を意味する。
【００３９】
図１のレンズ１は、本発明の一実施形態に従う改良された単一視力レンズである。レンズ１は前部の表面２と後部の表面３とを有する。
【００４０】
図１ａはレンズ１の概略側面図を示し、図１ｂはレンズ１の前部の表面２の概略断面図を示し、図１ｃはレンズ１の後部の表面３の概略断面図を示す。
【００４１】
前部の表面２は、３つの上部から底部への連続した領域２１、２２、２３を有し、ここで２１と２３は一定の曲率の領域であり、底部の領域２３の曲率は上部の領域２１の曲率より高く、そして中間の領域２２の曲率は、領域２１と２２との間の界面における上部の領域２１の曲率値から、領域２２と２３との間の界面における底部の領域２３の曲率値へと、連続的に増加している。
【００４２】
後部の表面３は、３つの上部から底部への連続した領域３１、３２、３３を有し、ここで３１と３３は一定の曲率の領域であり、底部の領域３３の曲率は上部の領域３１の曲率より高く、そして中間の領域３２の曲率は、領域３１と３２との間の界面における上部の領域３１の曲率値から、領域３２と３３との間の界面における底部の領域３３の曲率値へと、連続的に増加している。
【００４３】
前部の表面２の上部の領域２１の高さｈ１は、後部の表面３の上部の領域３１の高さｈ１と同じである。
【００４４】
前部の表面２の中間の領域２２の高さｈ２は、後部の表面３の中間の領域３２の高さｈ２と同じである。
【００４５】
前部の表面２の底部の領域２３の高さｈ３は、後部の表面３の底部の領域３３の高さｈ３と同じである。
【００４６】
レンズ全体の高さはｈであり、ここでｈ＝ｈ１＋ｈ２＋ｈ３である。例えばｈ＝６０ｍｍ、ｈ１＝３５ｍｍ、ｈ２＝７ｍｍ、ｈ３＝１８ｍｍである。
【００４７】
本発明の一実施形態に従って、光線追跡(ray tracing)分析法によって測定されたレンズの有効なパワーがどこでも一定であるように、前部の表面２と後部の表面３が互いに整列される。
【００４８】
例１は、図１ｂおよび図１ｃに示されたように両方の表面が光学表面にわたって変化する曲率を持つという状態で、−２．０ジオプターの全体の球面パワーを持った改良された単一視力レンズである。レンズの２つの表面は、光線追跡(ray tracing)分析法によって測定されたレンズの有効なパワーがどこでも−２．０ジオプターであるように、互いに整列される。
【００４９】
例２は、０．０ジオプターの全体のパワーを持った（平面の）改良された単一視力レンズである。視力矯正をしない正視の人々でさえ、楽に細かい活字を読んだり、または近くの距離において細かい解像度を必要とする仕事を行なうために、像拡大（像倍率）を必要としうる、ということが知られている。
【００５０】
例２で示される改良された平面の単一視力レンズは、累進的な付加表面、一つは累進的な付加パワーによる一のもの（前部の表面）と、逆累進的な付加パワーによる他のもの（後部の表面）と、を結合することによって、作り上げられる。これらの２つの表面のパワープロファイルは、結果としてのレンズの球面パワーの変化が公称の限界を下回る値に保たれるように調整することができる。例えば、例２の改良された単一視力レンズを作るために、２．００ジオプターの付加パワーによる累進的な付加表面と、２．００ジオプターのパワーによる逆累進的な表面と、を使用することが可能である。このレンズでは、前部の表面曲率は、目が遠い目標から近い目標に動くにつれて、急になっている曲率プロファイルが凝視方向の変化と一致するように、比較的急な領域が中央の子午線に沿って配置されるという状態で、２．００ジオプターから４．００ジオプターまで変化する。
【００５１】
前部の表面の曲率が２．００ジオプターである領域から曲率が４．００ジオプターである領域まで及ぶこのようなレンズ（屈折率１．５０の材料から作られている）のための倍率の増加（ＳＭのパーセントの増加）は、頂点距離のわずかな増加を無視して、０．５％である。単一視力レンズが矯正を提供する場合、眼鏡倍率においてベース曲率を急にすることの影響は一層顕著である。例えば、プラスの４．００ジオプターの改良された単一レンズに対して、前部の曲率は６．００ジオプターであり、後部の曲率は２．００ジオプターでありうる。近視領域が２．００ジオプターだけ急にされるならば、ＳＭの増加は１．０６８から１．０８８、すなわち６．８％から８．８％であり、あるいは３０％である。
【００５２】
この効果は近視者にとって非常に有益である。というのは、近視者に屈折矯正を提供する単一視力レンズは、１．０ジオプターより小さな眼鏡レンズ倍率をもたらすからである。これは、当技術分野で像縮小(minification)として知られている。例えば、１３ｍｍの頂点距離と３．５ジオプターの前部の曲率を持ち、屈折率１．５０の材料から作られているマイナスレンズ（−１．５０ジオプター）は、０．９８７５であり、それによって、パーセントＳＭは
％ＳＭ＝−１．２５
である。
【００５３】
例３は、２つの累進的な付加表面、３．５０ジオプターのベース曲率および２．００ジオプターの付加パワー領域を持った前部の表面と、２．００ジオプターの逆累進的なパワーを持った５．００ジオプターのベース曲率である後部と、を合わせることによって構築される改良された単一視力レンズである。このレンズの近視領域は、５．００ジオプターの前部の曲率によって−１．５０ジオプターの球面の矯正を提供する。近視領域におけるＳＭは０．９９０５であり、それによって、パーセントＳＭは、
％ＳＭ＝−１．０（ｎ＝１．５０）
で、遠視領域に比較して２０％だけ像縮小を縮小する。
【００５４】
従って、あらゆるタイプの単一視力レンズ（プラス、平面、またはマイナス）において、近くの物体を見るために使われるレンズ表面のその部分上でレンズの前部の曲率を増やすことによって、像拡張が拡張されるか、または像縮小が縮小される、ということが証明される。目の下部の部分、または近くの物体を見るために使われる目の部分、におけるレンズ曲率の勾配の（または急激な）増加を提供するこのアプローチは、読んでいる間、または細かい解像度を要求される他の仕事を行なう間における増進された視覚快適さと、より良好な解像度（例えばコントラスト感度）をもたらすことになる。
【００５５】
眼鏡レンズ倍率の増加は、目の下部の部分、または近視領域に少量の付加パワー（増加した球面パワー）を提供することによって達成することもできる。球面の矯正のこの増加の大きさは、結果としての焦点ずれまたは像ぼけが目立たないように、あるいは認識のレベルを実際に下回るように限定されるべきである。通常、付加パワー０．１０〜０．５０ジオプター、また好ましくは０．１０〜０．３０ジオプターは、視覚の鋭敏さにおける変化を起こさないが、眼鏡レンズ倍率の小さな増加を提供する。例えば、平面レンズでの５．００ジオプターの前部の曲率による０．１５ジオプターの付加パワーは、１．０１２のＳＭ、またはおよそ１．２のパーセントＳＭを提供する。一方、レンズ材料が１．５０の屈折率を持つと仮定すると、０．３０ジオプターの付加パワーは、１．０１４のＳＭを提供する。表１は、単一視力レンズのある範囲に対するＳＭの値を示す。その材料が１．５０の屈折率を持ち、プラスレンズのエッジの厚さが１．０ｍｍであり、平面マイナスレンズの中心の厚さが２．００ｍｍであると想定する。レンズパワーと前部の曲率によるＳＭの変化を示した表１における新しい前部の曲率に対して、レンズ厚さが再び計算された。
【００５６】
【表１】
2010513985.tif 000003
【００５７】
前部および後部の両方の表面が一定の曲率を持っている単一視力レンズに対する「従来技術」例は、表１の「前部の曲率」と「後部の曲率」としてそれぞれ言及されている。
【００５８】
「球面のパワー」はレンズの主要な部分の結果としての有効なパワーに対応する。
【００５９】
「厚さ＠ＯＣ」は、レンズの光学中心において測定されるレンズの厚さである。
【００６０】
「近曲率」は、本発明によるレンズのために使われる、上部から底部へと増加する曲率を持った前部の表面の下部の領域の最大の曲率である。
【００６１】
本発明による例ＡからＥの後部の表面の曲率は、レンズ全体の有効なパワーが一定であるように設計される。
【００６２】
本発明による例ＦおよびＧの後部の表面の曲率は、レンズの主要な部分の有効なパワーが一定であり、そしてレンズの下部の部分の有効なパワーとレンズの上部の部分の有効なパワーとの最大の差が０．１５ジオプターであるように設計される。
【００６３】
本発明による例ＨおよびＩの後部の表面と曲率は、レンズの主要な部分の有効なパワーが一定であり、そしてレンズの下部の部分の有効なパワーとレンズの上部の部分の有効なパワーとの最大の差が０．３０ジオプターであるように設計される。
【００６４】
表１は従来技術レンズの眼鏡倍率ＳＭと本発明によるレンズを比較することを可能にする。
【００６５】
表２は、表１のそれぞれの例に対するパーセントＳＭ値の差と、単一視力レンズの前部の曲率を変えることによる、また中程度の付加パワー値をそれらに提供することによる、パーセントＳＭの増加とを示す。
【００６６】
【表２】
2010513985.tif 000004
【００６７】
眼鏡レンズの装用者がパーセントＳＭで０．７５％から１％の両眼の差を視覚的に認識することができる、ということが知られている。０．５％またはそれ以上の差が、好ましくは視覚の機能の顕著な改善を提供するよう選ばれる、ということが期待される。この有効性の下限は、平面レンズまたはマイナスレンズに好ましい前部の曲率の２．５０ジオプターかそれ以上の増加、あるいは、０．１５ジオプターから０．３０ジオプターのレベルにおいて提供される付加パワー、のいずれかに対応することになる。必要条件は、プラスレンズにとってそれほど厳しくなく、付加パワーのための供給なしに前部の曲率が２．００ジオプターだけ急にされる時にパーセントＳＭの顕著な改良を示す。最も効果的な組み合わせはパーセントＳＭを増やす両方の手段を提供することである。０．３０ジオプターより少ないかそれに等しい値に付加パワーを維持することは、付加パワーを提供した結果として進行する望まれない乱視が、０．２５ジオプターより少ないかそれに等しくなり、また何らかの目の位置において直接的な凝視と干渉する可能性のない外部側に押し出すことができる、ということを保証するであろう。前部の曲率を（付加パワーを提供することなく）急にすることは、前部の表面上に表面乱視（非点収差）を導入することにもなる。この表面乱視の効果は、後部の表面上に補足的な曲率を提供することによりそれが補償されないならば、像歪曲（歪曲収差）を引き起こすことにおいてよく表れるであろう。正味の球面のパワーを持った単一視力レンズにおいて、付加的な球面のパワー、のみならず乱視の、完全な中和（中性化）を提供することはできない。「装用時の」ポジションに置かれたレンズを用いて、光学レンズの多数の点を通して光線追跡分析法を行なうことにより網膜の像歪曲を計算するアルゴリズムを使って、両方の表面について同時の最適化を行なうことによって、レンズの全体の高品質のデザインを得ることができる。
【００６８】
レンズの光学特性を最適化することによるレンズを定義するための方法が、参照として組み入れられるＴ．Ｂａｕｄａｒｔらの米国特許第６，３１８，８５９号明細書（特許文献１）に開示されている。そこでは、装用時の条件の下で、光線追跡分析法プログラムを使った最適化の間に光学特性が計算される。前記方法は、本発明による両方の表面についての同時の最適化を実行するのに適切である。
【００６９】
本発明による両方の表面についての同時の最適化を実行するのに適切な他の方法は、以下の刊行物（非特許文献１）に開示されている：「コンピュータ支援の眼科用レンズ設計における最適化のアプリケーション("Applications of optimization in computer-aided ophthalmic lens design")」，P. Allione, F. Ahsbahs and G. Lessaux，SPIE Vo1.3737 - p.138-148 (1999年5月)。
【００７０】
さらに他の適切な方法は、国際出願ＰＣＴ／ＩＢ２００６／００３２２０号（特許文献２）に開示されている。
【００７１】
さらに、頂点距離を変えること、または広角度の傾斜を変えることは、要求に応じて、いくつかの苦痛の軽減を提供する、ということを理解するであろう。
【００７２】
この概念は、球面およびトーリックの単一視力レンズの両方に適用することができる。眼鏡レンズ倍率の値は、好ましくはすべての子午線において計算される。というのは、パワー（有効なパワーまたは球面円柱パワー）は、それぞれの子午線において異なることになるからである。最先端デザインと本発明に開示されたデザインとの間のＳＭの増加は、前部の曲率が変えられるのに応じて、または中程度の付加パワーが提供される場合に、比例的に同じになるであろう。
【００７３】
上述の他の設計要素に加えて、単一視力の目の表面は、それらに非球面を与えることによって一層強められうる。非球面表面を使うことの利点は、より広い視野を含み、プラスレンズ厚さの減少である。
【００７４】
これらの新規な単一視力レンズの製造は、最先端のレンズ機械加工またはモールディング（成形）技術の使用を必要とする。球面のパワー増加のために前部の曲率を急にすることは、好ましくは、目の劣っている部分に提供される。光学設計は変化する領域の中央の子午線の正確な方向に比較的敏感でない。従って、変化する領域の２つの可能な方向（下鼻部および下側頭部のような）によって、規定された円柱の軸の可能な全ての値をカバーすることが可能でありうる。いくつかの場合では、前部の曲率は非常に複雑で、対称でない形状を持つであろうし、好ましくは、この幾何学形状を具体化する光学装備に対してブランクをモールドする（成形する）かまたは鋳造する（キャスティングする）ことによって、あるいは自由形式の機械加工プロセスを使うことによって提供される。商用の基準＜＜ＯＲＭＡ＞＞、＜＜ＰＣ＞＞、＜＜ＭＲ８＞＞、＜＜ＭＲ７＞＞、＜＜１．７４＞＞として知られている限定的でない材料のような、あらゆる眼鏡レンズ材料が本発明の枠組みで使われうる。
【００７５】
本発明は、特許請求の範囲および明細書の全般的な部分から明白であるような、一般的な新規な概念を制限することなく、実施形態の支援のもとに上述された。
【符号の説明】
【００７６】
１  レンズ
２  表面
３  表面
２１  領域
２２  領域
２３  領域
３１  領域
３２  領域
３３  領域
【図１ａ】
2010513985.tif 000005
【図１ｂ】
2010513985.tif 000006
【図１ｃ】
2010513985.tif 000007
【国際調査報告】
2010513985.tif 000008
2010513985.tif 000009